(57)【要約】【課題】  可動レンズと光量制御装置とを備えながら、小型で薄型の撮像ユニットを提供する。【解決手段】  撮像ユニットにおいて、レンズ３を駆動するレンズ駆動装置５と、光量制御装置７を駆動する光量制御駆動装置６とを、光軸Ｘに直交する方向に重なり合うように、且つ、撮像素子１８の撮像面２２の同じ辺の外側に設ける。【選択図】図１
2006279368.tif 000002
【特許請求の範囲】
【請求項１】
レンズを駆動するレンズ駆動装置と、光量制御装置を駆動する光量制御駆動装置とを、光軸に直交する方向に重なり合うように、且つ、撮像素子の撮像面の同じ辺の外側に設けたことを特徴とする撮像ユニット。
【請求項２】
前記レンズ駆動装置と前記光量制御駆動装置とを隣接して設けたことを特徴とする請求項１に記載の撮像ユニット。
【請求項３】
前記レンズ駆動装置は、前記撮像素子と光軸に直交する方向に重なり合うことを特徴とする請求項１または２に記載の撮像ユニット。
【請求項４】
前記レンズ駆動装置は、圧電素子により振動する駆動軸に移動部材が摩擦係合する摩擦駆動装置であることを特徴とする請求項１から３のいずれかに記載の撮像ユニット。
【請求項５】
前記光量制御装置は、前記移動部材に固定されていることを特徴とする請求項４に記載の撮像ユニット。
【発明の詳細な説明】
【技術分野】
【０００１】
本発明は撮像素子を有する撮像ユニットに関する。
【背景技術】
【０００２】
一般に、撮像ユニットは、矩形の撮像面を有する撮像素子の前（被写体側）に可動レンズが配され、さらに可動レンズ群の前にシャッタや絞りのような光量制御装置が設けられている。
【０００３】
シャッタや絞りを駆動するモータなどの光量制御駆動装置と可動レンズを光軸方向に移動させるレンズ駆動装置とは、互いに干渉しないように、光軸を中心に大きな角度を空けて撮像素子の撮像面の異なる辺の外側に位置するように配置される。
【０００４】
しかしながら、近年、撮像ユニットの小型化が進み、光量制御駆動装置とレンズ駆動装置が光軸方向の投影面積を小さくする上での阻害要因になっている。光量制御駆動装置とレンズ駆動装置を光軸方向に並べれば光軸方向の投影面積は小さくなるが、撮像ユニットが光軸方向に長くなり、薄型化のニーズを満たすことができない。
【発明の開示】
【発明が解決しようとする課題】
【０００５】
そこで本発明は、可動レンズと光量制御装置とを備えながら、小型で薄型の撮像ユニットを提供することを課題とする。
【課題を解決するための手段】
【０００６】
前記課題を解決するために、本発明による撮像ユニットは、レンズを駆動するレンズ駆動装置と、光量制御装置を駆動する光量制御駆動装置とを、光軸に直交する方向に重なり合うように、且つ、撮像素子の撮像面の同じ辺の外側に設けたものとする。
【０００７】
この構成によれば、レンズ駆動装置と光量制御駆動装置とが光軸方向に並ばないので、撮像ユニットの光軸方向の厚みが小さい。また、レンズ駆動装置と光量制御駆動装置とを撮像面の同じ辺の外側に配置したので、両者を収納する筐体の空間効率が高くなり、撮像ユニットの光軸方向の投影面積が小さい。
【０００８】
また、本発明の撮像ユニットにおいて、前記レンズ駆動装置と前記光量制御駆動装置とを隣接して設けてもよい。
【０００９】
この構成によれば、レンズ駆動装置と光量制御駆動装置とが隣接して配置されるので、筐体の空間効率がさらに高くなる。
【００１０】
また、本発明の撮像ユニットにおいて、前記レンズ駆動装置は、前記撮像素子と光軸に直交する方向に重なり合ってもよい。
【００１１】
この構成によれば、レンズ駆動装置と撮像素子とが光軸方向に並ばないので、撮像ユニットの光軸方向の厚みがより小さくなる。
【００１２】
また、本発明の撮像ユニットにおいて、前記レンズ駆動装置は、圧電素子により振動する駆動軸に移動部材が摩擦係合する摩擦駆動装置であってもよい。
【００１３】
この構成によれば、小型の摩擦駆動装置を使用して撮像ユニットを小型にできる。
【００１４】
また、本発明の撮像ユニットにおいて、前記光量制御装置は、前記移動部材に固定されていてもよい。
【００１５】
この構成によれば、摩擦駆動装置が移動させる構成要素の重心が駆動軸に近くなり、移動部材のねじれが小さくなるので、摩擦駆動装置による駆動がスムーズになる。
【発明の効果】
【００１６】
以上のように、本発明の撮像ユニットは、レンズ駆動装置と光量制御駆動装置を光軸に直交する方向に重なり合うように設けたので光軸方向の厚みが小さい。また、レンズ駆動装置と光量制御駆動装置を共に撮像素子の撮像面からみて同じ側に配置したので、両者を空間効率よく収容でき、光軸方向の投影面積が小さい。よって、本発明の撮像ユニットは小型で薄型である。
【発明を実施するための最良の形態】
【００１７】
これより、本発明の実施形態を、図面を参照しながら説明する。
図１は、本発明の第１実施形態の撮像ユニット１を被写体方向（正面）から見た様子を示し、図２は側方から見た様子を示す。撮像ユニット１は、筐体２の中に、レンズ３を保持する玉枠４がレンズ駆動装置５によって支持され、玉枠４には、シャッタ駆動装置（光量制御駆動装置）６によって駆動されるシャッタユニット（光量制御装置）７が固定されている。レンズ駆動装置５とシャッタ駆動装置６とは、撮像ユニット１の光軸Ｘに直交する方向に重なり合うように隣接して配置されている。
【００１８】
レンズ駆動装置５は、一端を筐体２に固定部材８を介して固定した圧電素子９の他端に取り付けた円柱状の駆動軸１０を、玉枠４に突設した移動部材１１が、圧縮ばね１２によって付勢された抑え部材１３との間に挟み込むように摩擦係合しており、圧電素子９の伸縮によって駆動軸１０が光軸Ｘ方向に振動して、駆動軸１０に摩擦係合する移動部材１１を、駆動軸１０上でいずれかの一方向に滑り移動させる公知の摩擦駆動装置である。また、玉枠４は、移動部材１１と反対側で、筐体２に設けた吊り軸１４に摺動可能に係合している。玉枠４の光軸Ｘ方向の位置は筐体２に設けた位置センサ１５で検出される。
【００１９】
シャッタ駆動装置６は、シャッタユニット７の羽根１６を撮像ユニット１の光軸Ｘに直交する平面内で回動させるソレノイド１７を有している。被写体からの光は、レンズ３を通過して撮像素子パッケージ１８に入射する。撮像素子パッケージ（撮像素子）１８は、基板１９上に固定されており、カバーグラス２０を通して入射し、機能部分であるセンサ部２１の撮像面２２に結像した被写体からの光を電気信号に変換できる。
【００２０】
撮像素子パッケージ１８は、レンズ駆動装置５の固定部材８と光軸Ｘに直交する方向に重なり合うように配置されている。また、レンズ駆動装置５とシャッタ駆動装置６とは、長方形をした撮像面２２の長辺の外側に並んで配置されている。
【００２１】
続いて、以上の構成からなる撮像ユニット１の作用を説明する。
撮像ユニット１は、レンズ駆動装置５とシャッタ駆動装置６を共に撮像面２２の同じ長辺の外側に配置したので、撮像ユニット１の高さ（撮像面の短辺方向の寸法）および幅（撮像面の長辺方向の寸法）の増加が最小限度に留まる。また。レンズ駆動装置５とシャッタ駆動装置６とが隣接しているために、両者を収容する筐体２に無駄なスペースがなく、空間効率が高いので光軸Ｘ方向から見た撮像ユニット１全体の投影面積が小さい。
【００２２】
また、撮像ユニット１は、レンズ駆動装置５とシャッタ駆動装置６とが、および、レンズ駆動装置５と撮像素子パッケージ１８とが光軸Ｘに直交する方向に重なり合うように配置されているので、その光軸Ｘ方向の厚みが、最も光軸Ｘ方向に長いレンズ駆動装置５の寸法にのみ依存する。このため、撮像ユニット１は、光軸Ｘ方向の厚みがレンズ駆動装置５の長さより僅かに大きいだけであり薄型である。
【００２３】
さらに、撮像ユニット１は、レンズ駆動装置５に隣接してシャッタ駆動装置６が設けられているので、レンズ駆動装置５が移動させる部材の重心、即ち、玉枠４、シャッタユニット７およびシャッタ駆動装置６を総合した重心は、レンズ３の中心（光軸Ｘ）よりもレンズ駆動装置５に近い位置になる。このため、駆動軸１０の振動の反動として移動部材１１に発生するねじれが小さくなり、移動部材１１は、駆動軸１０および吊り軸１４に沿って光軸Ｘ方向にスムーズに移動できる。
【図面の簡単な説明】
【００２４】
【図１】本発明の実施形態の撮像ユニットの正面図。
【図２】図１の撮像ユニットの側面図。
【符号の説明】
【００２５】
１  撮像ユニット
２  筐体
３  レンズ
４  玉枠
５  レンズ駆動装置
６  シャッタ駆動装置（光量制御駆動装置）
７  シャッタユニット（光量制御装置）
９  圧電素子
１０  駆動軸
１１  移動部材
１８  撮像素子パッケージ（撮像素子）
２１  センサ部
２２  撮像面
Ｘ  光軸
【図１】
2006279368.tif 000003
【図２】
2006279368.tif 000004